【手続補正書】
【提出日】平成19年10月2日(2007.10.2)
【手続補正１】
【補正対象書類名】明細書
【補正対象項目名】特許請求の範囲
【補正方法】変更
【補正の内容】
【特許請求の範囲】
【請求項１】
複数のゲート配線、該複数のゲート配線に交差する複数のソース配線、前記複数のゲート配線と前記複数のソース配線で囲まれた領域に形成されたＴＦＴ及び該ＴＦＴに電気的に接続されたＥＬ素子を含む画素部を有する発光装置であって、
前記画素部は前記複数のゲート配線に沿って配列された複数の画素列を有し、前記複数の画素列は、赤色に発光する発光層が形成された画素列、緑色に発光する発光層が形成された画素列及び青色に発光する発光層が形成された画素列を有することを特徴とする発光装置。
【請求項２】
複数のゲート配線、該複数のゲート配線に交差する複数のソース配線、前記複数のゲート配線と前記複数のソース配線で囲まれた領域に形成されたＴＦＴ及び該ＴＦＴに電気的に接続されたＥＬ素子を含む画素部を有する発光装置であって、
前記画素部は前記複数のソース配線に沿って配列された複数の画素列を有し、前記複数の画素列は、赤色に発光する発光層が形成された画素列、緑色に発光する発光層が形成された画素列及び青色に発光する発光層が形成された画素列を有することを特徴とする発光装置。
【請求項３】
複数のゲート配線、該複数のゲート配線に交差する複数のソース配線、前記複数のゲート配線と前記複数のソース配線で囲まれた領域に形成されたＴＦＴ及び該ＴＦＴに電気的に接続されたＥＬ素子を含む画素部を有する発光装置であって、
前記画素部は前記複数のゲート配線の上方に設けられたバンクに沿って配置された複数の画素列を有し、
前記複数の画素列は、赤色に発光する発光層が形成された画素列、緑色に発光する発光層が形成された画素列及び青色に発光する発光層が形成された画素列を有することを特徴とする発光装置。
【請求項４】
複数のゲート配線、該複数のゲート配線に交差する複数のソース配線、前記複数のゲート配線と前記複数のソース配線で囲まれた領域に形成されたＴＦＴ及び該ＴＦＴに電気的に接続されたＥＬ素子を含む画素部を有する発光装置であって、  
前記画素部は前記複数のソース配線の上方に設けられたバンクに沿って配置された複数の画素列を有し、
前記複数の画素列は、赤色に発光する発光層が形成された画素列、緑色に発光する発光層が形成された画素列及び青色に発光する発光層が形成された画素列を有することを特徴とする発光装置。  
【請求項５】
ストライプ状に配列された複数の第１の電極、前記複数の第１の電極と交差するようにストライプ状に設けられた複数の第２の電極及び前記複数の第１の電極と前記複数の第２の電極との間に設けられた発光層を含む画素部を有する発光装置であって、
前記画素部は前記複数の第１の電極と重なってストライプ状に配列された複数の画素列を有し、前記複数の画素列は、赤色に発光する発光層が形成された画素列、緑色に発光する発光層が形成された画素列及び青色に発光する発光層が形成された画素列を有することを特徴とする発光装置。
【請求項６】
ストライプ状に配列された複数の第１の電極、前記複数の第１の電極と交差するようにストライプ状に設けられた複数の第２の電極及び前記複数の第１の電極と前記複数の第２の電極との間に設けられた発光層を含む画素部を有する発光装置であって、
前記画素部は前記複数の第１の電極の間に前記複数の第１の電極に沿って設けられたバンクと、前記バンクに沿って配列された複数の画素列を有し、
前記複数の画素列は、赤色に発光する発光層が形成された画素列、緑色に発光する発光層が形成された画素列及び青色に発光する発光層が形成された画素列を有することを特徴とする発光装置。
【請求項７】
請求項１乃至請求項６のいずれか一において、前記赤色に発光する発光層、前記緑色に発光する発光層及び前記青色に発光する発光層は、高分子有機ＥＬ材料であることを特徴とする発光装置。
【請求項８】
請求項１乃至請求項７のいずれか一に記載の発光装置を表示部として用いたことを特徴とする電子機器。
【請求項９】
複数のゲート配線、該複数のゲート配線に交差するソース配線、前記複数のゲート配線と前記複数のソース配線で囲まれた領域に形成されたスイッチング素子及び該スイッチング素子に電気的に接続されたＥＬ素子を含む画素部を有する発光装置の作製方法であって、
前記複数のソース配線又は前記複数のゲート配線の上方に設けられたストライプ状のバンクに沿って配置された複数の画素列に対し、ＥＬ材料を連続して吐出し、赤色に発光する発光層、緑色に発光する発光層及び青色に発光する発光層の少なくともいずれか一つを形成することを特徴とする発光装置の作製方法。
【請求項１０】
複数のゲート配線、該複数のゲート配線に交差するソース配線、前記複数のゲート配線と前記複数のソース配線で囲まれた領域に形成されたスイッチング素子及び該スイッチング素子に電気的に接続されたＥＬ素子を含む画素部を有する発光装置の作製方法であって、
前記複数のソース配線と、前記複数のゲート配線の上方に設けられたマトリクス状に形成されたバンクによって仕切られた１つの升目の中の複数の画素に対し、ＥＬ材料を連続して吐出し、赤色に発光する発光層、緑色に発光する発光層及び青色に発光する発光層の少なくともいずれか一つを形成することを特徴とする発光装置の作製方法。
【請求項１１】
ストライプ状に配列された複数の第１の電極と、該複数の第１の電極に交差する複数の第２の電極との間に発光層を有する発光装置の作製方法であって、
前記複数の第１の電極間にストライプ状のバンクを形成し、
前記ストライプ状のバンクの間にＥＬ材料を連続して吐出し、赤色に発光する発光層、緑色に発光する発光層及び青色に発光する発光層の少なくともいずれか一つを形成することを特徴とする発光装置の作製方法。
【請求項１２】
ストライプ状に配列された複数の第１の電極と、該複数の第１の電極に交差する複数の第２の電極との間に発光層を有する発光装置の作製方法であって、
前記複数の第１の電極と前記複数の第２の電極とが重なる位置に配置される１つの画素又は複数の画素間を仕切るようにマトリクス状のバンクを形成し、
前記バンクによって仕切られた１つの升目の中の１つ又は複数の画素に対し、ＥＬ材料を連続して吐出し、赤色に発光する発光層、緑色に発光する発光層及び青色に発光する発光層の少なくともいずれか一つを形成することを特徴とする発光装置の作製方法。
【請求項１３】
複数のゲート配線、該複数のゲート配線に交差するソース配線、前記複数のゲート配線と前記複数のソース配線で囲まれた領域に形成されたＴＦＴ及び該ＴＦＴに電気的に接続されたＥＬ素子を含む画素部を有する発光装置の作製方法であって、
前記画素部は前記複数のゲート配線に沿って複数の画素列に分割され、赤色に発光する発光層、緑色に発光する発光層及び青色に発光する発光層を、各々異なる画素列の上に形成することを特徴とする発光装置の作製方法。
【請求項１４】
複数のゲート配線、該複数のゲート配線に交差するソース配線、前記複数のゲート配線と前記複数のソース配線で囲まれた領域に形成されたＴＦＴ及び該ＴＦＴに電気的に接続されたＥＬ素子を含む画素部を有する発光装置の作製方法であって、
前記画素部は前記複数のソース配線に沿って複数の画素列に分割され、赤色に発光する発光層、緑色に発光する発光層及び青色に発光する発光層を、各々異なる画素列の上に形成することを特徴とする発光装置の作製方法。
【請求項１５】
複数のゲート配線、該複数のゲート配線に交差するソース配線、前記複数のゲート配線と前記複数のソース配線で囲まれた領域に形成されたＴＦＴ及び該ＴＦＴに電気的に接続されたＥＬ素子を含む画素部を有する発光装置の作製方法であって、
前記画素部を複数の画素列に仕切るように前記複数のゲート配線の上方にバンクを形成し、
赤色に発光する発光層、緑色に発光する発光層及び青色に発光する発光層を、各々異なる画素列に形成することを特徴とする発光装置の作製方法。
【請求項１６】
複数のゲート配線、該複数のゲート配線に交差するソース配線、前記複数のゲート配線と前記複数のソース配線で囲まれた領域に形成されたＴＦＴ及び該ＴＦＴに電気的に接続されたＥＬ素子を含む画素部を有する発光装置の作製方法であって、
前記画素部を複数の画素列に仕切るように前記複数のソース配線の上方にバンクを形成し、
赤色に発光する発光層、緑色に発光する発光層及び青色に発光する発光層を、各々異なる画素列に形成することを特徴とする発光装置の作製方法。
【請求項１７】
ストライプ状に配列された複数の陰極、前記複数の陰極と交差するようにストライプ状に設けられた複数の陽極及び前記複数の陰極と前記複数の陽極との間に設けられた発光層を含む画素部を有する発光装置の作製方法であって、
前記画素部は前記複数の陰極により複数の画素列に分割され、赤色に発光する発光層、緑色に発光する発光層及び青色に発光する発光層を、各々異なる画素列の上に形成することを特徴とする発光装置の作製方法。
【請求項１８】
ストライプ状に配列された複数の陰極、前記複数の陰極と交差するようにストライプ状に設けられた複数の陽極及び前記複数の陰極と前記複数の陽極との間に設けられた発光層を含む画素部を有する発光装置の作製方法であって、
前記画素部を複数の画素列に仕切るように前記複数の陰極の隙間にバンクを形成し、
赤色に発光する発光層、緑色に発光する発光層及び青色に発光する発光層を、各々異なる画素列に形成することを特徴とする発光装置の作製方法。
【請求項１９】
請求項９乃至請求項１８のいずれか一において、前記赤色に発光する発光層、前記緑色に発光する発光層及び前記青色に発光する発光層は、高分子の有機ＥＬ材料で形成されることを特徴とする発光装置の作製方法。
【請求項２０】
請求項９乃至請求項１８のいずれか一において、前記赤色に発光する発光層、前記緑色に発光する発光層及び前記青色に発光する発光層は、
赤色を発光する発光層となる赤色発光層用塗布液、緑色を発光する発光層となる緑色発光層用塗布液及び青色を発光する発光層となる青色発光層用塗布液を各々別のノズルから同時に吐出し、吐出された前記赤色発光層用塗布液、緑色発光層用塗布液及び青色発光層用塗布液に加熱処理を行うことにより形成されることを特徴とする発光装置の作製方法。
【請求項２１】
請求項９乃至請求項１８のいずれか一において、前記赤色に発光する発光層、前記緑色に発光する発光層または前記青色に発光する発光層の少なくとも一つはノズルから吐出された塗布液に加熱処理を行うことにより形成され、かつ、残りはスピンコート法、印刷法または蒸着法により形成されることを特徴とする発光装置の作製方法。
【請求項２２】
請求項９乃至請求項１８のいずれか一において、前記赤色に発光する発光層、前記緑色に発光する発光層または前記青色に発光する発光層の少なくとも一つはディスペンサーを用いて形成することを特徴とする発光装置の作製方法。
【請求項２３】
請求項９乃至請求項２２のいずれか一において、隣り合う画素間の距離Ｄは、前記赤色に発光する発光層、前記緑色に発光する発光層又は前記青色に発光する発光層を含むＥＬ層の膜厚をｔとしたとき、５ｔ＜Ｄ＜５０ｔを満たすことを特徴とする発光装置の作製方法。